【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
第１のワイヤレスプロトコルに従って通信するように構成された第１のワイヤレスデバイスから、前記第１のワイヤレスプロトコルに関連するサービスの利用可能性を示す少なくとも１つのパラメータを受信することと、
前記少なくとも１つのパラメータを第２のワイヤレスプロトコルに関連するサービス発見フレーム中にカプセル化することと、
前記第２のワイヤレスプロトコルに従って通信するように構成された第２のワイヤレスデバイスに、前記サービス発見フレームを送信することと、
所定の時間期間の間、前記少なくとも１つのパラメータをキャッシュすることと、前記第２のワイヤレスプロトコルに従って通信するように構成された別のワイヤレスデバイスから、前記利用可能なサービスのためのクエリが前記所定の時間期間内に受信されたとき、カプセル化することおよび送信することを進めることと
を備える、ワイヤレス通信のための方法。
【請求項２】
カプセル化することが、
前記第１のワイヤレスデバイスのアドレスを前記サービス発見フレーム中に挿入することと、
サービス識別情報フィールドを前記サービス発見フレームのサービス記述属性中に挿入することと
のうちの少なくとも１つを備える、請求項１に記載の方法。
【請求項３】
カプセル化することが、前記利用可能なサービスの指示または前記利用可能なサービスの前記指示のハッシュのうちの少なくとも１つを前記サービス記述属性のサービス情報フィールド中に挿入することをさらに備える、請求項２に記載の方法。
【請求項４】
前記第１のワイヤレスデバイスから前記利用可能なサービスに関連するデータパケットを受信することと、
前記データパケットにヘッダをプリペンドすることと、前記ヘッダが、前記第１のワイヤレスプロトコルに従って通信するように構成された前記ワイヤレスデバイスを示すプロトコル識別情報を備える、
前記第２のワイヤレスプロトコルに従って通信するように構成された前記第２のワイヤレスデバイスに、前記プリペンドされたヘッダを有する前記データパケットを送信することと
をさらに備える、請求項１に記載の方法。
【請求項５】
前記ヘッダが、論理リンク制御ヘッダおよび標準ネットワークアクセスプロトコルヘッダのうちの１つを備える、請求項４に記載の方法。
【請求項６】
前記第２のワイヤレスプロトコルに従って通信するように構成されたワイヤレスデバイスのクラスタに関連する識別子と、前記クラスタに関連する発見ウィンドウ送信時間の指示と、前記クラスタに関連する信頼性メトリックとのうちの少なくとも１つを備えるパラメータのセットを決定することと、
パラメータの前記セットを前記第１のワイヤレスプロトコルに関連するフレーム中に挿入することと、
前記第１のワイヤレスプロトコルに従って通信するように構成されたワイヤレスデバイスに、前記第１のワイヤレスプロトコルに関連する通信チャネルを介して、前記第１のワイヤレスプロトコルに関連する前記フレームを送信することと
を備える、請求項１に記載の方法。
【請求項７】
前記第１のワイヤレスプロトコルがＢｌｕｅｔｏｏｔｈ（登録商標）プロトコルを備え、前記第２のワイヤレスプロトコルがＷｉＦｉ（登録商標）プロトコルを備える、請求項１に記載の方法。
【請求項８】
前記第２のワイヤレスプロトコルに従って通信するように構成された前記第２のワイヤレスデバイスがネイバーアウェアネットワークに関連する、請求項１に記載の方法。
【請求項９】
第１のワイヤレスプロトコルに従って通信するように構成された第１のワイヤレスデバイスから、前記第１のワイヤレスプロトコルに関連するサービスの利用可能性を示す少なくとも１つのパラメータを受信するように構成された受信機と、
前記少なくとも１つのパラメータを第２のワイヤレスプロトコルに関連するサービス発見フレーム中にカプセル化するように構成されたプロセッサと、
前記第２のワイヤレスプロトコルに従って通信するように構成された第２のワイヤレスデバイスに、前記サービス発見フレームを送信するように構成された送信機と、
所定の時間期間の間、前記少なくとも１つのパラメータをキャッシュするように構成されたメモリと、前記第２のワイヤレスプロトコルに従って通信するように構成された別のワイヤレスデバイスから、前記利用可能なサービスのためのクエリが前記所定の時間期間内に受信されたとき、カプセル化することを進めるように構成された前記プロセッサと、前記送信することを進めるように構成された前記送信機と
を備える、ワイヤレス通信のための装置。
【請求項１０】
前記プロセッサが、
前記第１のワイヤレスデバイスのアドレスを前記サービス発見フレーム中に挿入することと、
サービス識別情報フィールドを前記サービス発見フレームのサービス記述属性中に挿入することと
のうちの少なくとも１つを行うように構成された、請求項９に記載の装置。
【請求項１１】
前記プロセッサが、前記利用可能なサービスの指示または前記利用可能なサービスの前記指示のハッシュのうちの少なくとも１つを前記サービス記述属性のサービス情報フィールド中に挿入するように構成された、請求項１０に記載の装置。
【請求項１２】
前記受信機が、前記第１のワイヤレスデバイスから前記利用可能なサービスに関連するデータパケットを受信するように構成され、
前記プロセッサが、前記データパケットにヘッダをプリペンドするように構成され、前記ヘッダが、前記第１のワイヤレスプロトコルに従って通信するように構成された前記ワイヤレスデバイスを示すプロトコル識別情報を含む、
前記送信機が、前記第２のワイヤレスプロトコルに従って通信するように構成された前記第２のワイヤレスデバイスに、前記プリペンドされたヘッダを有する前記データパケットを送信するように構成された、
請求項９に記載の装置。
【請求項１３】
前記ヘッダが、論理リンク制御ヘッダおよび標準ネットワークアクセスプロトコルヘッダのうちの１つを備える、請求項１２に記載の装置。
【請求項１４】
前記プロセッサが、
前記第２のワイヤレスプロトコルに従って通信するように構成されたワイヤレスデバイスのクラスタに関連する識別子と、前記クラスタに関連する発見ウィンドウ送信時間の指示と、前記クラスタに関連する信頼性メトリックとのうちの少なくとも１つを備えるパラメータのセットを決定することと、
前記パラメータを前記第１のワイヤレスプロトコルに関連するフレーム中に挿入することと
を行うように構成され、
前記送信機が、前記第１のワイヤレスプロトコルに従って通信するように構成されたワイヤレスデバイスに、前記第１のワイヤレスプロトコルに関連する通信チャネルを介して、前記第１のワイヤレスプロトコルに関連する前記フレームを送信するように構成された、
請求項９に記載の装置。
【請求項１５】
前記第１のワイヤレスプロトコルがＢｌｕｅｔｏｏｔｈプロトコルを備え、前記第２のワイヤレスプロトコルがＷｉＦｉプロトコルを備える、請求項９に記載の装置。
【請求項１６】
前記装置がネイバーアウェアネットワークに関連する、請求項９に記載の装置。
【請求項１７】
実行されたとき、装置に、
第１のワイヤレスプロトコルに従って通信するように構成された第１のワイヤレスデバイスから、前記第１のワイヤレスプロトコルに関連するサービスの利用可能性を示す少なくとも１つのパラメータを受信することと、
前記少なくとも１つのパラメータを第２のワイヤレスプロトコルに関連するサービス発見フレーム中にカプセル化することと、
前記第２のワイヤレスプロトコルに従って通信するように構成された第２のワイヤレスデバイスに、前記サービス発見フレームを送信することと、
所定の時間期間の間、前記少なくとも１つのパラメータをキャッシュすることと、前記第２のワイヤレスプロトコルに従って通信するように構成された別のワイヤレスデバイスから、前記利用可能なサービスのためのクエリが前記所定の時間期間内に受信されたとき、カプセル化することおよび送信することを進めることと
を行わせるコードを備える、非一時的コンピュータ可読媒体。
【請求項１８】
前記コードが、実行されたとき、前記装置に、
前記第１のワイヤレスデバイスサービスのアドレスを前記サービス発見フレーム中に挿入することと、
サービス識別情報フィールドを前記サービス発見フレームのサービス記述属性中に挿入することと
のうちの少なくとも１つに基づいて前記少なくとも１つのパラメータをカプセル化することをさらに行わせる、請求項１７に記載の非一時的コンピュータ可読媒体。
【請求項１９】
前記コードが、実行されたとき、前記装置に、前記利用可能なサービスの指示および前記利用可能なサービスの前記指示のハッシュのうちの少なくとも１つを前記サービス記述属性のサービス情報フィールド中に挿入することに基づいて前記少なくとも１つのパラメータをカプセル化することをさらに行わせる、請求項１８に記載の非一時的コンピュータ可読媒体。
【請求項２０】
前記コードが、実行されたとき、前記装置に、
前記第１のワイヤレスデバイスから前記利用可能なサービスに関連するデータパケットを受信することと、
前記データパケットにヘッダをプリペンドすることと、前記ヘッダが、前記第１のワイヤレスプロトコルに従って通信するように構成された前記ワイヤレスデバイスを示すプロトコル識別情報を備える、
前記第２のワイヤレスプロトコルに従って通信するように構成された前記第２のワイヤレスデバイスに、前記プリペンドされたヘッダを有する前記データパケットを送信することと
をさらに行わせる、請求項１７に記載の非一時的コンピュータ可読媒体。
【請求項２１】
前記ヘッダが、論理リンク制御ヘッダおよび標準ネットワークアクセスプロトコルヘッダのうちの１つを備える、請求項２０に記載の非一時的コンピュータ可読媒体。
【請求項２２】
第１のワイヤレスプロトコルに従って通信するように構成された第１のワイヤレスデバイスから、前記第１のワイヤレスプロトコルに関連するサービスの利用可能性を示す少なくとも１つのパラメータを受信するための手段と、
前記少なくとも１つのパラメータを第２のワイヤレスプロトコルに関連するサービス発見フレーム中にカプセル化するための手段と、
前記第２のワイヤレスプロトコルに従って通信するように構成された第２のワイヤレスデバイスに、前記サービス発見フレームを送信するための手段と、
所定の時間期間の間、前記少なくとも１つのパラメータをキャッシュするための手段をさらに備え、ここにおいて、前記第２のワイヤレスプロトコルに従って通信するように構成された別のワイヤレスデバイスから、前記利用可能なサービスのためのクエリが前記所定の時間期間内に受信されたとき、カプセル化するための前記手段がカプセル化することを進めるように構成され、送信するための前記手段が送信することを進めるように構成される、
を備える、ワイヤレス通信のための装置。
【請求項２３】
カプセル化するための前記手段が、
前記第１のワイヤレスデバイスのアドレスを前記サービス発見フレーム中に挿入するための手段と、
サービス識別情報フィールドを前記サービス発見フレームのサービス記述属性中に挿入するための手段と
のうちの少なくとも１つを備える、請求項２２に記載の装置。
【請求項２４】
カプセル化するための前記手段が、前記利用可能なサービスの指示および前記利用可能なサービスの前記指示のハッシュのうちの少なくとも１つを前記サービス記述属性のサービス情報フィールド中に挿入するための手段を備える、請求項２３に記載の装置。
【請求項２５】
前記第１のワイヤレスデバイスから前記利用可能なサービスに関連するデータパケットを受信するための手段と、
前記データパケットにヘッダをプリペンドするための手段と、前記ヘッダが、前記第１のワイヤレスプロトコルに従って通信するように構成された前記ワイヤレスデバイスを示すプロトコル識別情報を含む、
前記第２のワイヤレスプロトコルに従って通信するように構成された前記第２のワイヤレスデバイスに、前記プリペンドされたヘッダを有する前記データパケットを送信するための手段と
をさらに備える、請求項２２に記載の装置。
【請求項２６】
前記ヘッダが、論理リンク制御ヘッダおよび標準ネットワークアクセスプロトコルヘッダのうちの１つを備える、請求項２５に記載の装置。
【手続補正２】
【補正対象書類名】明細書
【補正対象項目名】００５９
【補正方法】変更
【補正の内容】
【００５９】
[0065]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］
第１のワイヤレスプロトコルに従って通信するように構成された第１のワイヤレスデバイスから、前記第１のワイヤレスプロトコルに関連するサービスの利用可能性を示す少なくとも１つのパラメータを受信することと、
前記少なくとも１つのパラメータを第２のワイヤレスプロトコルに関連するサービス発見フレーム中にカプセル化することと、
前記第２のワイヤレスプロトコルに従って通信するように構成された第２のワイヤレスデバイスに、前記サービス発見フレームを送信することと
を備える、ワイヤレス通信のための方法。
［Ｃ２］
カプセル化することが、
前記第１のワイヤレスデバイスのアドレスを前記サービス発見フレーム中に挿入することと、
サービス識別情報フィールドを前記サービス発見フレームのサービス記述属性中に挿入することと
のうちの少なくとも１つを備える、Ｃ１に記載の方法。
［Ｃ３］
カプセル化することが、前記利用可能なサービスの指示または前記利用可能なサービスの前記指示のハッシュのうちの少なくとも１つを前記サービス記述属性のサービス情報フィールド中に挿入することをさらに備える、Ｃ２に記載の方法。
［Ｃ４］
所定の時間期間の間、前記少なくとも１つのパラメータをキャッシュすることと、前記第２のワイヤレスプロトコルに従って通信するように構成された別のワイヤレスデバイスから、前記利用可能なサービスのためのクエリが前記所定の時間期間内に受信されたとき、カプセル化することおよび送信することを進めることとをさらに備える、Ｃ１に記載の方法。
［Ｃ５］
前記第１のワイヤレスデバイスから前記利用可能なサービスに関連するデータパケットを受信することと、
前記データパケットにヘッダをプリペンドすることと、前記ヘッダが、前記第１のワイヤレスプロトコルに従って通信するように構成された前記ワイヤレスデバイスを示すプロトコル識別情報を備える、
前記第２のワイヤレスプロトコルに従って通信するように構成された前記第２のワイヤレスデバイスに、前記プリペンドされたヘッダを有する前記データパケットを送信することと
をさらに備える、Ｃ１に記載の方法。
［Ｃ６］
前記ヘッダが、論理リンク制御ヘッダおよび標準ネットワークアクセスプロトコルヘッダのうちの１つを備える、Ｃ５に記載の方法。
［Ｃ７］
前記第２のワイヤレスプロトコルに従って通信するように構成されたワイヤレスデバイスのクラスタに関連する識別子と、前記クラスタに関連する発見ウィンドウ送信時間の指示と、前記クラスタに関連する信頼性メトリックとのうちの少なくとも１つを備えるパラメータのセットを決定することと、
パラメータの前記セットを前記第１のワイヤレスプロトコルに関連するフレーム中に挿入することと、
前記第１のワイヤレスプロトコルに従って通信するように構成されたワイヤレスデバイスに、前記第１のワイヤレスプロトコルに関連する通信チャネルを介して、前記第１のワイヤレスプロトコルに関連する前記フレームを送信することと
を備える、Ｃ１に記載の方法。
［Ｃ８］
前記第１のワイヤレスプロトコルがＢｌｕｅｔｏｏｔｈ（登録商標）プロトコルを備え、前記第２のワイヤレスプロトコルがＷｉＦｉ（登録商標）プロトコルを備える、Ｃ１に記載の方法。
［Ｃ９］
前記第２のワイヤレスプロトコルに従って通信するように構成された前記第２のワイヤレスデバイスがネイバーアウェアネットワークに関連する、Ｃ１に記載の方法。
［Ｃ１０］
第１のワイヤレスプロトコルに従って通信するように構成された第１のワイヤレスデバイスから、前記第１のワイヤレスプロトコルに関連するサービスの利用可能性を示す少なくとも１つのパラメータを受信するように構成された受信機と、
前記少なくとも１つのパラメータを第２のワイヤレスプロトコルに関連するサービス発見フレーム中にカプセル化するように構成されたプロセッサと、
前記第２のワイヤレスプロトコルに従って通信するように構成された第２のワイヤレスデバイスに、前記サービス発見フレームを送信するように構成された送信機と
を備える、ワイヤレス通信のための装置。
［Ｃ１１］
前記プロセッサが、
前記第１のワイヤレスデバイスのアドレスを前記サービス発見フレーム中に挿入することと、
サービス識別情報フィールドを前記サービス発見フレームのサービス記述属性中に挿入することと
のうちの少なくとも１つを行うように構成された、Ｃ１０に記載の装置。
［Ｃ１２］
前記プロセッサが、前記利用可能なサービスの指示または前記利用可能なサービスの前記指示のハッシュのうちの少なくとも１つを前記サービス記述属性のサービス情報フィールド中に挿入するように構成された、Ｃ１１に記載の装置。
［Ｃ１３］
所定の時間期間の間、前記少なくとも１つのパラメータをキャッシュするように構成されたメモリと、前記第２のワイヤレスプロトコルに従って通信するように構成された別のワイヤレスデバイスから、前記利用可能なサービスのためのクエリが前記所定の時間期間内に受信されたとき、カプセル化することを進めるように構成された前記プロセッサと、前記送信することを進めるように構成された前記送信機とをさらに備える、Ｃ１０に記載の装置。
［Ｃ１４］
前記受信機が、前記第１のワイヤレスデバイスから前記利用可能なサービスに関連するデータパケットを受信するように構成され、
前記プロセッサが、前記データパケットにヘッダをプリペンドするように構成され、前記ヘッダが、前記第１のワイヤレスプロトコルに従って通信するように構成された前記ワイヤレスデバイスを示すプロトコル識別情報を含む、
前記送信機が、前記第２のワイヤレスプロトコルに従って通信するように構成された前記第２のワイヤレスデバイスに、前記プリペンドされたヘッダを有する前記データパケットを送信するように構成された、
Ｃ１０に記載の装置。
［Ｃ１５］
前記ヘッダが、論理リンク制御ヘッダおよび標準ネットワークアクセスプロトコルヘッダのうちの１つを備える、Ｃ１４に記載の装置。
［Ｃ１６］
前記プロセッサが、
前記第２のワイヤレスプロトコルに従って通信するように構成されたワイヤレスデバイスのクラスタに関連する識別子と、前記クラスタに関連する発見ウィンドウ送信時間の指示と、前記クラスタに関連する信頼性メトリックとのうちの少なくとも１つを備えるパラメータのセットを決定することと、
前記パラメータを前記第１のワイヤレスプロトコルに関連するフレーム中に挿入することと
を行うように構成され、
前記送信機が、前記第１のワイヤレスプロトコルに従って通信するように構成されたワイヤレスデバイスに、前記第１のワイヤレスプロトコルに関連する通信チャネルを介して、前記第１のワイヤレスプロトコルに関連する前記フレームを送信するように構成された、
Ｃ１０に記載の装置。
［Ｃ１７］
前記第１のワイヤレスプロトコルがＢｌｕｅｔｏｏｔｈプロトコルを備え、前記第２のワイヤレスプロトコルがＷｉＦｉプロトコルを備える、Ｃ１０に記載の装置。
［Ｃ１８］
前記装置がネイバーアウェアネットワークに関連する、Ｃ１０に記載の装置。
［Ｃ１９］
実行されたとき、装置に、
第１のワイヤレスプロトコルに従って通信するように構成された第１のワイヤレスデバイスから、前記第１のワイヤレスプロトコルに関連するサービスの利用可能性を示す少なくとも１つのパラメータを受信することと、
前記少なくとも１つのパラメータを第２のワイヤレスプロトコルに関連するサービス発見フレーム中にカプセル化することと、
前記第２のワイヤレスプロトコルに従って通信するように構成された第２のワイヤレスデバイスに、前記サービス発見フレームを送信することと
を行わせるコードを備える、非一時的コンピュータ可読媒体。
［Ｃ２０］
前記コードが、実行されたとき、前記装置に、
前記第１のワイヤレスデバイスサービスのアドレスを前記サービス発見フレーム中に挿入することと、
サービス識別情報フィールドを前記サービス発見フレームのサービス記述属性中に挿入することと
のうちの少なくとも１つに基づいて前記少なくとも１つのパラメータをカプセル化することをさらに行わせる、Ｃ１９に記載の非一時的コンピュータ可読媒体。
［Ｃ２１］
前記コードが、実行されたとき、前記装置に、前記利用可能なサービスの指示および前記利用可能なサービスの前記指示のハッシュのうちの少なくとも１つを前記サービス記述属性のサービス情報フィールド中に挿入することに基づいて前記少なくとも１つのパラメータをカプセル化することをさらに行わせる、Ｃ２０に記載の非一時的コンピュータ可読媒体。
［Ｃ２２］
前記コードが、実行されたとき、前記装置に、所定の時間期間の間、前記少なくとも１つのパラメータをキャッシュすることと、前記第２のワイヤレスプロトコルに従って通信するように構成された別のワイヤレスデバイスから、前記利用可能なサービスのためのクエリが前記所定の時間期間内に受信されたとき、カプセル化することおよび送信することを進めることとをさらに行わせる、Ｃ１９に記載の非一時的コンピュータ可読媒体。
［Ｃ２３］
前記コードが、実行されたとき、前記装置に、
前記第１のワイヤレスデバイスから前記利用可能なサービスに関連するデータパケットを受信することと、
前記データパケットにヘッダをプリペンドすることと、前記ヘッダが、前記第１のワイヤレスプロトコルに従って通信するように構成された前記ワイヤレスデバイスを示すプロトコル識別情報を備える、
前記第２のワイヤレスプロトコルに従って通信するように構成された前記第２のワイヤレスデバイスに、前記プリペンドされたヘッダを有する前記データパケットを送信することと
をさらに行わせる、Ｃ１９に記載の非一時的コンピュータ可読媒体。
［Ｃ２４］
前記ヘッダが、論理リンク制御ヘッダおよび標準ネットワークアクセスプロトコルヘッダのうちの１つを備える、Ｃ２３に記載の非一時的コンピュータ可読媒体。
［Ｃ２５］
第１のワイヤレスプロトコルに従って通信するように構成された第１のワイヤレスデバイスから、前記第１のワイヤレスプロトコルに関連するサービスの利用可能性を示す少なくとも１つのパラメータを受信するための手段と、
前記少なくとも１つのパラメータを第２のワイヤレスプロトコルに関連するサービス発見フレーム中にカプセル化するための手段と、
前記第２のワイヤレスプロトコルに従って通信するように構成された第２のワイヤレスデバイスに、前記サービス発見フレームを送信するための手段と
を備える、ワイヤレス通信のための装置。
［Ｃ２６］
カプセル化するための前記手段が、
前記第１のワイヤレスデバイスのアドレスを前記サービス発見フレーム中に挿入するための手段と、
サービス識別情報フィールドを前記サービス発見フレームのサービス記述属性中に挿入するための手段と
のうちの少なくとも１つを備える、Ｃ２５に記載の装置。
［Ｃ２７］
カプセル化するための前記手段が、前記利用可能なサービスの指示および前記利用可能なサービスの前記指示のハッシュのうちの少なくとも１つを前記サービス記述属性のサービス情報フィールド中に挿入するための手段を備える、Ｃ２６に記載の装置。
［Ｃ２８］
所定の時間期間の間、前記少なくとも１つのパラメータをキャッシュするための手段をさらに備え、ここにおいて、前記第２のワイヤレスプロトコルに従って通信するように構成された別のワイヤレスデバイスから、前記利用可能なサービスのためのクエリが前記所定の時間期間内に受信されたとき、カプセル化するための前記手段がカプセル化することを進めるように構成され、送信するための前記手段が送信することを進めるように構成される、Ｃ２５に記載の装置。
［Ｃ２９］
前記第１のワイヤレスデバイスから前記利用可能なサービスに関連するデータパケットを受信するための手段と、
前記データパケットにヘッダをプリペンドするための手段と、前記ヘッダが、前記第１のワイヤレスプロトコルに従って通信するように構成された前記ワイヤレスデバイスを示すプロトコル識別情報を含む、
前記第２のワイヤレスプロトコルに従って通信するように構成された前記第２のワイヤレスデバイスに、前記プリペンドされたヘッダを有する前記データパケットを送信するための手段と
をさらに備える、Ｃ２５に記載の装置。
［Ｃ３０］
前記ヘッダが、論理リンク制御ヘッダおよび標準ネットワークアクセスプロトコルヘッダのうちの１つを備える、Ｃ２９に記載の装置。